(57)【要約】【課題】電子写真式印刷システムの高度を容易に決定・入力できるようにすることを課題とする。【解決手段】グリッド及びコロノードを有するコロナ発生装置と、グリッド及びコロノードに動力を供給するための電源と、によって高度を決定するための方法であって、電源によってグリッドを所定電圧に設定するステップと、電源によって荷電出力電流及び荷電出力電圧をコロノードに加えるステップと、所定荷電出力電圧に至るまで、電源からコロノードへの荷電出力電流及び荷電出力電圧を監視するステップと、前記所定荷電出力電圧に至ったときに、荷電出力電流と高度とを関連づけるステップと、を含む。【選択図】        図１
2004258664.tif 000002
【特許請求の範囲】
【請求項１】
グリッド及びコロノードを有するコロナ発生装置と、グリッド及びコロノードに動力を供給するための電源と、によって高度を決定するための方法であって、
電源によってグリッドを所定電圧に設定するステップと、
電源によって荷電出力電流及び荷電出力電圧をコロノードに加えるステップと、
所定荷電出力電圧に至るまで、電源からコロノードへの荷電出力電流及び荷電出力電圧を監視するステップと、
前記所定荷電出力電圧に至ったときに、荷電出力電流と高度とを関連づけるステップと、
を含むことを特徴とする方法。
【請求項２】
前記関連づけるステップは、荷電PWM入力信号と荷電出力電流との間の関係を計ること、及び、該関係を高度に反映させることを含むことを特徴とする請求項１記載の方法。
【請求項３】
グリッド及びコロノードを有するコロナ発生装置と、グリッド及びコロノードに動力を供給するための電源と、によって高度を決定するための方法を有した静電プリンタであって、
電源によってグリッドを所定電圧に設定し、
電源によって荷電出力電流及び荷電出力電圧をコロノードに加え、
所定荷電出力電圧に至るまで、電源からコロノードへの荷電出力電流及び荷電出力電圧を監視し、
前記所定荷電出力電圧に至ったときに、荷電出力電流と高度とを関連づけることを特徴とする静電プリンタ。
【請求項４】
前記関連づけは、荷電PWM入力信号と荷電出力電流との間の関係を計り、該関係を高度に反映させることを含むことを特徴とする請求項３記載の静電プリンタ。
【発明の詳細な説明】
【技術分野】
【０００１】
本発明は、一般的にはコロナ発生装置に関し、更に詳細には、静電写真法（ゼログラフィ）の設定を調整するためにコロナ発生装置の高度（altitude）を決めるための方法及び装置に関する。
【背景技術】
【０００２】
典型的な電子写真式印刷プロセスにおいて、光導電性部材は、その表面が感光性を有するように実質上均一な電位に荷電される。光導電性部材の荷電済み部分は、複写されようとするオリジナルのドキュメントの光画像にさらされる（露光）。この光導電性部材の荷電済み部分の露光は、照射領域内で電荷を分散させる。これにより、光導電性部材上には、オリジナルドキュメントに含まれる情報領域に対応した静電潜像が記録される。光導電性部材上に静電潜像が記録された後に、潜像は、現像剤材料を其れに接触するように動かすことによって現像される。
【０００３】
一般に現像剤材料は、キャリア細粒に摩擦電気的に付着するトナー粒子を含む。トナー粒子は、キャリア細粒から潜像に引き出されて、トナーパウダー画像を光導電性部材上に形成する。次いで、トナーパウダー画像は、光導電性部材からコピーシートに転写される。トナー粒子は、パウダー画像をコピーシートに永久定着させるために加熱される。上述したような印刷機において、コロナ装置は、印刷プロセスの他の様々な機能を奏する。
【０００４】
例えば、コロナ装置は、光導電性部材から転写部材に対する現像済みトナー画像の転写を支援する。同様に、コロナ装置は、それによって形成される電子写真コピーの品質を改善するために、現像剤材料の堆積の前、その間、及び、その後における光導電性部材の状態調節を支援する。これらの機能を奏するために、直流（DC）及び交流（AC）の双方の形式のコロナ装置が使用される。コロナ荷電装置の１つの形態は、絶縁ケーブルを介して高電圧AC/DC電源に接続された細長いワイヤの形式のコロナ電極を含む。
【０００５】
スコロトロンは、ピンコロトロンに似ているが、コロノード及び光導電性部材の間に配置されるスクリーン即ち制御グリッドを補助的に具備する。スクリーンは、光導電性部材上に配置されるべき荷電レベルに近似する低い電位で保持される。スコロトロンは、より均一な荷電を提供すると共に過剰荷電を阻止する。
【０００６】
静電印刷システムの問題は、これらのシステムが配置される環境に影響を及ぼされるということである。例えば、デタックコロトロン（detack corotron）AC電圧は、静電印刷システムの光学性能を得るために異なった高度条件が要求される。光導電体に対して実質上電位のある任意の電子写真式現像システムにおいて、特に、現像ギャップを横切る交流電界（alternating current field）が存在する場合に、ギャップ全体にわたるアーク放電の現実的な危険が存在する、ということが知られている（特許文献１参照）。其のようなアーク放電は、言うまでもなく印刷機械の作動に有害な効果を有し、最低限でも印刷不良を生じさせ、最悪の場合は機械を破壊する。任意の静電印刷機械の印刷品質を維持するための様々な制御システムは、静電プロセスに関係する様々な可能性が、放電の予想される其のレベルに至るようにさせがちである。放電の危険性は、特に、山岳領域のような高地に印刷機械が設置される状況において増大する。より高い高度で比較的低い気圧の場合、放電を導く空気分子のイオン化であるパッシェン故障（Paschen breakdown）が、より低い高度で起きるよりも相当低い可能性で導かれる。
【特許文献１】米国特許第6,266,494号明細書
【発明の開示】
【発明が解決しようとする課題】
【０００７】
上述のように、異なった高度に適合調整できる静電印刷システムでは、オペレータが高度を調べて（ルックアップして）、機械パラメータのための設定値を入力する必要がある。従って、オペレータが介在せずに、静電印刷システムの高度を容易に決定及び入力できるようにすることが希求されている。
【課題を解決するための手段】
【０００８】
本発明に係る解決手段を詳説すると、次の通りになる。
【０００９】
［第１実施態様］
グリッド及びコロノードを有するコロナ発生装置と、グリッド及びコロノードに動力を供給するための電源と、によって高度を決定するための方法であって、
電源によってグリッドを所定電圧に設定するステップと、
電源によって荷電出力電流及び荷電出力電圧をコロノードに加えるステップと、
所定荷電出力電圧に至るまで、電源からコロノードへの荷電出力電流及び荷電出力電圧を監視するステップと、
前記所定荷電出力電圧に至ったときに、荷電出力電流と高度とを関連づけるステップと、
を含むことを特徴とする。
【００１０】
［第２実施態様］
第１実施態様において、前記関連づけるステップは、荷電PWM入力信号と荷電出力電流との間の関係を計ること、及び、該関係を高度に反映させることを含む。
【００１１】
［第３実施態様］
第２実施態様において、前記加えるステップは、前記所定荷電出力電圧に至るまで、荷電PWM入力信号のデューティサイクルを増加させることを含む。
【００１２】
［第４実施態様］
第２実施態様において、前記加えるステップは、荷電PWM入力信号のデューティサイクルを一定値に設定すること及び該一定値での荷電出力電圧を計測することを含む。
【００１３】
［第５実施態様］
第１実施態様において、静電写真印刷機の静電写真設定を調整するために高度を代表する信号を機械コントローラに送信することを更に含む。
【００１４】
［第６実施態様］
グリッド及びコロノードを有するコロナ発生装置と、グリッド及びコロノードに動力を供給するための電源と、によって高度を決定するための方法を有した静電プリンタであって、
電源によってグリッドを所定電圧に設定し、
電源によって荷電出力電流及び荷電出力電圧をコロノードに加え、
所定荷電出力電圧に至るまで、電源からコロノードへの荷電出力電流及び荷電出力電圧を監視し、
前記所定荷電出力電圧に至ったときに、荷電出力電流と高度とを関連づけることを特徴とする。
【００１５】
［第７実施態様］
第６実施態様において、
前記関連づけることは、荷電PWM入力信号と荷電出力電流との間の関係を計り、該関係を高度に反映させることを含む。
【００１６】
［第８実施態様］
第７実施態様において、前記加えることは、前記所定荷電出力電圧に至るまで、荷電PWM入力信号のデューティサイクルを増加させることを含む。
【００１７】
［第９実施態様］
第７実施態様において、前記加えることは、荷電PWM入力信号のデューティサイクルを一定値に設定すること及び該一定値での荷電出力電圧を計測することを含む。
【００１８】
［第１０実施態様］
第６実施態様において、静電写真印刷機の静電写真設定を調整するために高度を代表する信号を機械コントローラに送信することを更に含む。
【発明の効果】
【００１９】
本発明によれば、従来の不都合を回避できる。
【発明を実施するための最良の形態】
【００２０】
本発明は、その好適な実施形態に関連して説明されるが、本発明を其のような実施形態に限定する意図がないと理解されるべきである。逆に、添付の請求の範囲によって画成される本発明の精神及び範囲の中に包含され得るように、総ての代案や変更例や等価物をカバーすることが意図される。
【００２１】
本発明の特徴の一般的な理解に関して、図面が言及される。図面において、同じような参照符号は、同一の要素を識別するために全体に亙って使用される。
【００２２】
図１は、本発明の特徴を組み込む電子写真式の印刷機（electrophotographic printing machine）を図解的に示している。本発明は、多種多様な装置に採用され得るが、本明細書に記載の特定の実施形態に特に限定されない、ということが以下の記載から明らかになろう。
【００２３】
図１を参照すると、オリジナルのドキュメントは、全体が参照符号２８で示されるラスタ入力スキャナ（RIS）のドキュメントハンドラ２７内に位置決めされる。RISは、ドキュメント照明ランプ、光学系、機械式走査ドライブ、及び、電荷結合素子（CCD）アレイを含む。RISは、オリジナルのドキュメントの全体をキャプチャして、それを一連のラスタスキャンライン（raster scan lines）を変換する。この情報は、後述するラスタ出力スキャナ（ROS）を制御する電子サブシステム（ESS）に送信される。図１は、光導電性ベルト１０を通常採用する電子写真式の印刷機を図解的に示している。好ましくは、光導電性ベルト１０は、アース層（ground layer）に被覆され、次いで、カール防止性の下地層（backing layer）に被覆される光導電性材料から形成される。光導電性ベルト１０は、その移動経路の周りに配置される様々な処理ステーションを順次通過するように連続部分を前進させるために矢印１３方向に動く。ベルト１０は、ストリッピングローラ１４とテンションローラ２０とドライブローラ１６に掛けられる。ローラ１６が回転すると、ベルト１０が矢印１３方向に前進する。最初、荷電ステーションAには、光導電性面の一部が通過する。
【００２４】
荷電ステーションAにおいて、参照符号２２で全体が示されるコロナ発生装置は、比較的高い略均一な電位まで光導電性ベルト１０を荷電する。露光ステーションBにおいて、参照符号２９で全体が示されるコントローラ即ち電子サブシステム（ESS）は、所望の出力画像を代表する画像信号を受け取り、これらの信号を処理して、変調出力発生装置に伝達される画像のグレー・スケール表現（greyscale rendition）又は連続階調（continuous tone）に変換する。例えば、ラスタ出力スキャナ（ROS）は、参照符号３０で全体が示される。好ましくは、ESS２９は、内蔵型の専用ミニコンピュータである。ESS２９に伝達される画像信号は、上述のようにRISから或いはコンピュータから発生され得る。これにより、電子写真式のプリンタ装置は、１台以上のコンピュータのための遠隔配置のプリンタとして機能できる。或いは、斯かるプリンタは、高速コンピュータのための専用プリンタとして機能できる。プリンタ装置によって複写されることが望まれる連続トーン画像に対応するESS２９からの信号は、ROS３０に送られる。ROS３０は、回転するポリゴンミラー・ブロック付きレーザを含む。
【００２５】
ROS３０は、光導電性ベルトを露光して、ESS２９から受け取った連続トーン画像に対応する静電潜像を其の上に記録する。或いは、ROS３０は、ラスタ毎の原則（raster-by-raster basis）により光導電性ベルト１０の荷電部を照明するために配置される直線配列（リニアアレイ）の発光ダイオード（LEDs）を採用できる。静電潜像が光導電性面１２上に記録された後、光導電性ベルト１０は、静電潜像を現像ステーションCに移動させ、そこでは、液体又は乾燥した粒子の形状のトナーが公知技術を用いて静電潜像に静電吸着される。
【００２６】
潜像は、トナーパウダー画像を形成するキャリア細粒からトナー粒子を引き付ける。連続した静電潜像が現像されると、トナー粒子は現像剤材料から費消される。参照符号３９で全体が示されるトナー粒子ディスペンサは、現像剤ユニット３８の現像剤ハウジング４０の中にトナー粒子を分配する。
【００２７】
引き続き図１を参照すると、静電潜像が現像された後、光導電性ベルト１０上に存在するトナーパウダー画像は、転写ステーションDに進む。プリントシート４８は、シート送り装置５０によって転写ステーションDに進められる。シート送り装置５０は、シート積重ね５４の最上位シートを、送りロール５２及び遅延ロール５３によって形成されるニップ５５まで送るナッジャロール５１を含む。送りロール５２は、シート積重ね５４からのシートを鉛直搬送機（vertical transport）５６の中に進めるように回転する。
【００２８】
鉛直搬送機５６は、時限シーケンスで光導電性ベルト１０から画像を受け取るために、移動するプリントシート４８の支持材料を、転写ステーションDの傍らを過ぎて、位置合わせ搬送機（registration transport）１２０の中に導く。これにより、形成済みトナーパウダー画像は、転写ステーションDで移動中のシート４８に接触できる。転写ステーションDは、シート４８の裏側にイオンを散布するコロナ発生装置を含む。これにより、光導電性面１２からのパウダー画像は、シート４８に引き付けられる。次いで、シートは、光導電性面からシートを引き離すのに役立つようにシート４８の裏側に荷電イオンを散布するコロナ発生装置５９によって光導電性面から引き離される。転写後、シート４８は、フュージングステーションFにシート４８を移動させるベルト搬送機６２によって、矢印６０の方向に移動し続ける。
【００２９】
フュージングステーションFは、転写済みトナーパウダー画像をコピーシートに永久付与する、参照符号７０で全体が示されるフューザ組立体を含む。好ましくは、フューザ組立体７０は、加熱されたフューザローラ７２及び加圧ローラ７４を含み、フューザローラ７２には、パウダー画像を有するコピーシートが接触する。加圧ローラは、トナーパウダー画像をコピーシートに定着させるために必要な圧力を提供するようにフューザローラにカム係合する。フューザローラは、クォーツランプ（図示せず）によって内部加熱される。容器（図示せず）に収容される剥離剤は、計量ロールまでポンプ送出される。トリムブレード（図示せず）は、余分な剥離剤を削り落とす。剥離剤は、ドナーロール（図示せず）に、次いで、フューザローラ７２に移動する。次いで、シートは、画像がシートに永久定着すなわち融着（fused）されるフューザ組立体７０を通過する。フューザ組立体７０を通過後に、ゲート８０によって、アウトプット１６を介して仕上げ装置又はスタッカにシートを直接移動させることが可能であるか、又は、複式経路１００（ここでは、特に、先ず単一シートインバータ８２）にシートを導くことが可能である。即ち、シートが単一シートであるか、又は、第１の側の画像及び第２の側の画像の両方が形成された完了済み複層シートであるとき、シートは、ゲート８０を介してアウトプット８４に直接搬送される。
【００３０】
しかしながら、シートが複層であり、一方側だけに画像が印刷されている場合、ゲート８０は、インバータ８２及び複式（ループ）経路１００の中にシートを導くように位置決めされる。即ち、シートは、出口経路８４を介して出る前に、第２の側の画像を複層シートの裏側に永久定着及び受容するための転写ステーションD及びフューザ組立体７０に復帰・循環するように、反転されて加速ニップ１０２及びベルト搬送機１１０に送られる。プリントシートがベルト１０の光導電性面１２から分離された後、クリーニングステーションEにおいて、残留するトナー／現像剤や光導電性面１２に付着するペーパ繊維状粒子がそこから除去される。
【００３１】
クリーニングステーションEは、ペーパ繊維を邪魔及び除去するために光導電性面１２に接触する回転自在に取り付けられた繊維状ブラシと、非転写のトナー粒子を除去するためのクリーニングブレードとを含む。ブレードは、用途に応じた払拭位置ないしドクター位置にあるように構成できる。クリーニング後、放電ランプ（図示せず）は、次の連続画像サイクルのための荷電の前に、上に残留する帯電荷を分散させるために光導電性面１２を光で照らす。
【００３２】
様々の機械の機能は、コントローラ２９によって調整される。コントローラ２９は、本発明の高度センサ（altitude sensor）から信号を受け取ることができ、また、検出済み高度で印刷機の機能を最適化するために荷電システムの荷電パラメータ及び現像システムの現像パラメータを調整できる。好ましくは、コントローラは、前述した機械機能の総てを制御するプログラム可能なマイクロプロセッサである。コントローラは、再循環されるドキュメント数やオペレータによって選択されたコピーシート数や時間遅延やジャムの修正などのコピーシートの比較勘定（comparison count）を提供する。前述したシステム例の総ての制御は、オペレータによって選択される印刷機コンソールからの通常の制御スイッチ入力によって達成される。通常のシート経路センサ又はスイッチは、コピーシート及びドキュメントの位置の軌道を保持するために利用できる。
【００３３】
次に、図２に転じると、本発明の荷電装置及び電源装置４００が図解的に示されている。グリッド３１０がシールド３００で囲まれている。荷電装置は、ワイヤ導体３０２を支持する端部ブロック（図示せず）を含む。図面には、コロナ発生のためのワイヤ導体３０２が描かれている。しかしながら、シート状の金属部材から一体形成されるアレイ状のピンを含むピン形式の導体も採用可能である。
【００３４】
本発明について更に詳細に言及するに、本発明は、高圧電源と組み合わせた荷電スコロトロンを使用し、高度環境を正確に決定するためのソフトウエアルーチンを採用する。この情報は、デタックスコロトロン（Detack Scorotron）の交流電圧設定や現像システム設定など、電子写真法の他の設定を最適化するために用いることができる。荷電スコロトロンの形状は、極めて正確に決定される。グリッド３１０は、所定の開口（open area）を有し、コロノード３０２は、公知のコロノード−グリッド間隔（spacing）を有し、コロノード−シールド間隔も公知である。グリッド−光導電体間隔は、正確に決定される。本願出願人は、一定の電流源によってスコロトロンが駆動される場合、必要な合計ワイヤ電流を発生させるのに要する高電圧が、高度及び湿気がそれぞれ主要なそれである環境条件のために、主として様々である、ということを発見した。光導電体が暗い環境下で不動である場合、光導電体への通常の処理電流は流れない。光導電体は、グリッドレベルを急上昇させる。実際上、光導電体の将来的な損傷を回避するために、動く光導電体に対する計測を行うことが好ましい。暗失活電流（dark decay current）は、合計ワイヤ電流に対して無視できる。
【００３５】
荷電PWM入力信号のデューティサイクルとHVPS荷電出力チャネルとの間に厳密な関係（例えば、20％デューティが−500μΔであり、100％デューティが−1500μΔである）があるように、高電圧電源４００が設計される。好適な電源は、ゼロックス社の製造するXerox Document Centre（登録商標）555/545/535に見られるタイプである。説明に役立つ実例としてDC入力付き高電圧電源がある。入力のグランド（24V RTN）と高電圧出力の共通グランド（高電圧RTN）との間の電気的接続は、電源内に存在する。電源は、以下のPWMプログラム可能出力を含む。パルス幅変調方式は周波数4kHzで信号を入力し、出力は次の通りである。
【００３６】
荷電（C）               DC負の定電流出力
グリッド（G）           DC負の定電圧出力
転写電流（T）           DC正の定電流出力
デタック（AC）          AC定電圧出力（正弦波650Hz）
デタック（DC）          DC負又は正の定電流（DT(AC)に重ね合わされる）
現像バイアス（DB）      DC負の定電圧出力
荷電バイアス（CB）      DC正又は負の定電圧出力
出力：C, DT(AC), CB
PWM信号の典型的0.15（15％）デューティでの出力起動
デューティ0.2オンワードから規定される出力
出力：T, CB
PWM信号の典型的0.05（5％）デューティでの出力起動
デューティ0.1オンワードから規定される出力
出力のPWM設定：
出力C, G, T DT(AC), DT(DC), DBの出力値は、以下の計算を用いることによって任意の出力値調整範囲にセットできる。
出力レベル＝ベースレベル＋デューティ（最大レベル〜ベースレベル）
レベル：             計算式：             出力可能：            出力
規定：                                       典型
荷電(μA) =  −(250＋デューティ×(1250))    デューティ＞0.15    デューティ＞=0.2
グリッド(V) = −(300＋デューティ×(400))       荷電オン時      デューティ＞=0
転写(μA)  =  78＋デューティ×(722)        デューティ＞0.05   デューティ＞=0.1
デタック(AC)(V) = 2500＋デューティ×(2500)   デューティ＞0.15   デューティ＞=0.2
デタック(DC)(μA) = 20−デューティ×(220)     DT(AC)オン時     デューティ＞=0
現像バイアス(V) =   デューティ(−500)       デューティ＞0.15   デューティ＞=0.2
荷電バイアス(V) = −655＋デューティ(1555)   デューティ＞0.05   デューティ＞=0.1
図４及び図５は、合計ワイヤ電流と対応して生じた異なった高度のための荷電ワイヤ電圧との間の関係を示している。例えば、海面（sea level）のための1000μΔでのワイヤ電圧＝−5.28kV,  1850m＝−4.76kV,  3000m＝−4.47kV,  5000m＝3.75kV  である。
【００３７】
荷電PWM信号を急成長させることによる本発明の作用において、荷電電流は公知の速度で急成長する。この急成長は、（低電圧信号としてHVPSで使用可能である）荷電電圧が或る最小レベルを通過するまで続く。計測中は、グリッド−PWM信号によってグリッド電圧が公知の値（例えば、−600V）に設定されねばならない、ということに留意されたい。このレベルのために、HVフォールトラインを誘因するための補助レベルが用いられる（即ち、補助のモニターライン）。公知のグリッド電圧で公知の荷電電圧に到達するための所要の電流レベルがソフトウエア（デューティサイクルレベル）に適応自在である以上、現実の高度を決めるために『ルックアップテーブル』（荷電電流及び高度の間の関係を含む）を用いること、及び、他の電子写真法設定のために（ファクタ×公称設定）変更することが可能である。
【００３８】
図４は、異なった高度のためのデタックAC電圧要件を示している。これらの要件は、海面レベルでの4.2kV RMSの公称要件に基づく現実の計測の結果である（ファクタ1）
。デタック電圧要件は、（増倍率）＠0' (0m) 4200 V AC RMS(1),  @5000' (1500m) 3663 V AC RMS (0.87),  @10,000' (3100m) 3125 V AC RMS (0.74) である。
【００３９】
P1B荷電スコロトロン上の計測値（1000μΔのワイヤ電流、−600Vのグリッド電圧）は次の結果を示している。
【００４０】
0m          −5.88kV    ファクタ：1       （5.88/5.88）
3000m       −4.47kV    ファクタ：0.76    （4.47/5.88）
この結果から理解され得るように、3000m（ファクタ0.76）での荷電計測値は、3100m（ファクタ0.74）でのデタック計測値に近接している。
【００４１】
このように、1850mでのDTのためのファクタは、4.76/5.88−0.81と計算でき、それにより3400V のDT(AC) 電圧がもたらされる。
【００４２】
本願出願人は、温度センサを用いて印刷機の湿度特性を決定するために本発明の原理を用いることができる、ということを見い出した。図５は、電荷スコロトロンの温度及び湿度特性を示すグラフである。10℃／10％〜28℃／85％の範囲において、影響は著しく大きくはないが、50℃及び1mΔにおいて、荷電電圧は、10％〜85％WRTデタックAC補償（compensation）の湿度変化で−5.55kV〜−6.24kVまで変化する。
【００４３】
しかしながら、前記方法もこの影響を補償できるのでこれ単なる利点である。オゾンは、ブロワによって機械始動時に電荷スコロトロンから吸い取られる。次いで、湿度決定のための概算は、２つの計測（一方は冷たい機械（起動）に対して実施され、他方は暖機後に実施される）を行うことによって得られる。其の後、プリンタ内で温度が上昇するので、相対湿度は下降する。この情報は、電荷バイアス（CB）／前転写を設定するのに用いることができる。
【００４４】
これにより、本発明に従って上述した目的及び利点が完全に充足されるということは明白である。
【００４５】
本発明は特定の実施形態に関連して記載されているが、当業者にとって多くの代替や修正や変更が想到され得るということが理解されよう。即ち、添付した特許請求の範囲の精神及び範囲内において、其のような代替や修正や変更の総てが包含されるように意図される。
【図面の簡単な説明】
【００４６】
【図１】本発明のコロナシールドを用いる典型的な電子写真印刷機の図解的な立面図である。
【図２】本発明を採用した荷電装置及び電源を含む光導電体荷電システムの図解図である。
【図３】本発明の作用を示すフローチャート図である。
【図４】環境パラメータを決定するためにルックアップテーブルに採用できるテストデータを示す図である。
【図５】環境パラメータを決定するためにルックアップテーブルに採用できるテストデータを示す図である。
【符号の説明】
【００４７】
１０…光導電性ベルト
１６…ドライブローラ
２０…テンションローラ
２２…コロナ発生装置
２８…ラスタ入力スキャナ（RIS）
２９…コントローラ
３０…ラスタ出力スキャナ（ROS）
４８…プリントシート
５０…シート送り装置
【図１】
2004258664.tif 000003
【図２】
2004258664.tif 000004
【図３】
2004258664.tif 000005
【図４】
2004258664.tif 000006
【図５】
2004258664.tif 000007